(57)【要約】【課題】画像や音声の調査も可能で、誰に対しても調査が容易で、しかも信頼性の高い診断が可能な関心度等チェックシステムの提供。【解決手段】関心度、適正又は意欲等を判定するための関心度等チェックシステムである。被験者の端末に複数の第１画像（小さい・判然としない・不鮮明・抽象的画像など）Ａ〜Ｄを出力し、被験者の操作に基づいて第１画像の選択を受け、その選択された第１画像に関連づけられた第２画像（大きい・判然とした・鮮明・具体的画像など）を出力可能なテスト手段を備える。テストの実行に伴い、各第１画像に対応した各第２画像の出力時間、又はそれから求められた各第２画像の出力時間順の順位、をテスト結果として記憶する。テスト結果に基づいて、各第２画像の出力時間順位から、被験者の関心度等の判定が可能とされている。【選択図】      図１
2004240884.tif 000002
【特許請求の範囲】
【請求項１】
関心度、適正又は意欲等を判定するための関心度等チェックシステムであって、
被験者の端末に画像若しくは文字又は音声からなる複数の第１情報を出力し、被験者の操作に基づいて第１情報の選択を受け、その選択された第１情報に関連づけられた第２情報を出力可能なテスト手段と、
このテストの実行に伴い、各第１情報に対応した各第２情報の出力時間、又はそれから求められた各第２情報の出力時間順の順位、をテスト結果として記憶する情報記憶手段と、
情報記憶手段から取得したテスト結果に基づいて、各第２情報の出力時間順位から、被験者の関心度等の判定が可能とされたチェック手段と
を備えることを特徴とする関心度等チェックシステム。
【請求項２】
前記第１情報は、判然としない、不鮮明、抽象的、モノクロ、静的又は小さな画像からなる第１画像とされ、前記第２情報は、対応する第１画像を、判然、鮮明、具体的、カラー、動的又は大きくした画像からなる第２画像とされ、
前記テスト手段は、被験者の端末画面上に、第１画像を複数表示し、被験者の操作に基づいて第１画像の選択を受け、その選択された第１画像に関連づけられた第２画像を表示可能とされた
ことを特徴とする請求項１に記載の関心度等チェックシステム。
【請求項３】
前記第１情報は、デザイン変更要素とされ、前記第２情報は、対応する第１情報のデザイン変更要素にて変更後のデザインの画像情報とされ、
前記テスト手段は、被験者の端末画面上に、第１情報を複数表示し、被験者の操作に基づいて第１情報の選択を受け、その選択された第１情報に関連づけられた第２情報の画像を表示可能とされた
ことを特徴とする請求項１に記載の関心度等チェックシステム。
【請求項４】
前記第１情報と前記第２情報は、それぞれ画像情報としての第１画像と第２画像とされ、
前記テスト手段は、被験者の端末画面上に、第１画像を表示し、被験者の操作に基づいて第１画像中から拡大したい部分の指定を受け、その指定された部分に対応した拡大図としての第２画像を表示可能とされ、
第１画像中に表示された各部の部位情報と、第１画像の座標情報とを関連づけておくことで、前記指定部分の座標から、当該指定部分に記載された前記部位情報を求め、前記部位情報ごとの出力回数若しくは時間、又はそれから求められた各部位情報の出力回数若しくは時間順の順位、をテスト結果として前記情報記憶手段に記憶し、
前記チェック手段は、情報記憶手段から取得したテスト結果に基づいて、各部位情報の出力回数若しくは時間順の順位から、被験者の関心度等の判定が可能とされた
ことを特徴とする請求項１に記載の関心度等チェックシステム。
【請求項５】
前記チェック手段は、複数の被験者のテスト結果に基づいて、前記情報記憶手段から複数の前記出力時間順位を取得し、各第１情報に対する第２情報の表示時間順位の合算により、各第１情報に対する関心度を求める
ことを特徴とする請求項１から請求項４までのいずれかに記載の関心度等チェックシステム。
【請求項６】
関心度、適正又は意欲等を判定するための関心度等チェックシステムであって、
被験者の端末に画像若しくは文字又は音声を出力し、この出力情報の好き嫌い等の選択、又はそのような理由に基づく並び替えが、被験者の操作に基づいて実行可能なテスト手段と、
このテストの実行に伴い、被験者の回答結果と、回答に要した全体時間、又は回答に至るまでの各操作に要した時間・時間差、をテスト結果として記憶する情報記憶手段と、
予め求めておいた調査結果と関心度等との関係により、情報記憶手段から取得したテスト結果に基づいて、被験者の関心度等の判定が可能とされたチェック手段と
を備えることを特徴とする関心度等チェックシステム。
【請求項７】
請求項１から請求項６までのいずれかに記載の関心度等チェックシステムをコンピュータにて実現させるためのプログラム。
【発明の詳細な説明】
【０００１】
【発明の属する技術分野】
本発明は、関心度、適正、又は意欲などを判定するための関心度等のチェックシステムに関するものである。
【０００２】
【従来の技術】
従来、心理判断や、就職時の適正試験などが知られている。従来のこの種のチェックは、文字で記載された複数の設問に、択一形式で答えることで行われている。
【０００３】
【発明が解決しようとする課題】
しかしながら、従来の方法は、紙媒体による調査で、しかも文字による設問しかなかった。従って、例えば複数のデザイン中からどのデザインに興味を引かれるか、或いは複数の音楽からどの曲に興味を引かれるかなど、またその興味から被験者の適正や意欲などを知ることはできなかった。
【０００４】
しかも、画像や音声を利用した調査がないので、被験者にとっては面白味に欠けるものであった。また、文字が読める必要があったので、小さな子供の興味や適正などを知ることはできなかった。
【０００５】
さらに、紙媒体の従来の方法では、各設問に要した時間などを知ることができなかった。従って、回答結果だけしか診断の基礎とできず、迷いなど、回答の過程は考慮できなかった。
【０００６】
本発明は、上記事情に鑑みてなされたものであり、その主たる目的は、画像や音声の調査も可能で、誰に対しても調査が容易で、しかも信頼性の高い診断が可能な関心度等のチェックシステムを提供することにある。
【０００７】
【課題を解決するための手段】
上記目的を達成するために、本発明は、関心度、適正又は意欲等を判定するための関心度等チェックシステムであって、下記（Ａ）から（Ｃ）の構成要件を備えることを特徴とする。
（Ａ）被験者の端末に画像若しくは文字又は音声からなる複数の第１情報を出力（時間順次の出力も可）し、被験者の操作に基づいて第１情報の選択を受け、その選択された第１情報に関連づけられた第２情報を出力可能なテスト手段。
（Ｂ）このテストの実行に伴い、各第１情報に対応した各第２情報の出力時間、又はそれから求められた各第２情報の出力時間順の順位、をテスト結果として記憶する情報記憶手段。
（Ｃ）情報記憶手段から取得したテスト結果に基づいて、各第２情報の出力時間順位から、被験者の関心度等の判定が可能とされたチェック手段。
【０００８】
また本発明は、関心度、適正又は意欲等を判定するための関心度等チェックシステムであって、下記（Ａ）から（Ｃ）の構成要件を備えることを特徴とする。
（Ａ）被験者の端末に画像若しくは文字又は音声を出力し、この出力情報の好き嫌い等の選択、又はそのような理由に基づく並び替えが、被験者の操作に基づいて実行可能なテスト手段。
（Ｂ）このテストの実行に伴い、被験者の回答結果と、回答に要した全体時間、又は回答に至るまでの各操作に要した時間・時間差、をテスト結果として記憶する情報記憶手段。
（Ｃ）予め求めておいた調査結果と関心度等との関係により、情報記憶手段から取得したテスト結果に基づいて、被験者の関心度等の判定が可能とされたチェック手段。
【０００９】
【発明の実施の形態】
以下、本発明の関心度等チェックシステムについて、さらに詳細に説明する。
本実施例の関心度等チェックシステムは、各種画像や音楽などの関心度を判定するためのシステムである。但し、これと同様にして、関心度に限らず、各種組織や環境若しくは進路・進学への適正、又は顕示欲や金銭欲等の各種意欲などを判定するためのシステムとすることもできる。
【００１０】
なお、本件発明者の研究によれば、意欲（やる気）は、例えば顕示欲（目立ちたがり度）、創造欲（好奇心）、自由欲（拘束に対する許容度）、対人欲（対人感情の優先度）、安定欲（環境変化に対する順応度）、競争欲（競争心）、金銭欲（金銭への執着度）、没頭欲（仕事への没頭具合）、忠誠欲（組織への順応度）、使命欲（使命感）、達成欲（努力による目標達成感）、支配欲（リーダーシップ）に分けて考えることができる。
【００１１】
本発明のシステムは、被験者により操作される入出力装置（被験者端末）からなり、本実施例ではパーソナルコンピュータから構成される。すなわち、例えば制御手段（ＣＰＵなど）と情報記憶手段（メモリやハードディスクなど）を備えるパソコン本体の他、キーボードやマウス等の入力手段、ディスプレイやプリンター等の出力手段を備えてなる。
【００１２】
被験者は、所定のテストを受け、その結果により関心度等の判定チェックがなされる。そのために、テストの実行、それに伴うテスト結果の保存（少なくとも一時的な保存）、その保存されたテスト結果を用いての関心度の判定チェック、という一連の流れは、被験者端末にインストールされたプログラムに従って行われる。そのプログラムは、被験者端末のハードディスク又はＣＤ−ＲＯＭなどから読み出されて実行可能である。
【００１３】
このようにして、被験者端末には、被験者がテストを受けることができるテスト手段と、そのテスト結果が登録される情報記憶手段、テスト結果に基づいて被験者の関心度が判定されるチェック手段とが備えられる。なお、被験者端末には、テスト実行手段と情報記憶手段とだけを備えておき、テスト終了後に、情報記憶手段のテスト結果をテスト主催者等の端末に、フレキシブルディスクなどの情報記録媒体、或いはインターネットなどの電気通信回線を介して送った後、そのテスト主催者の端末側に備えられたチェック手段にてテスト結果の分析等を可能としてもよい。
【００１４】
以下、具体的に説明すると、本実施例のシステムは、被験者端末に表示された所定のアイコンをダブルクリックするなどして、前記プログラムを起動して、実行される。それにより、例えば図１に示すように、複数個（図示例では４つ）の画像（第１画像）が一度にディスプレイに表示され、その内の一の画像をその画像上でクリックするなどして選択することで、図２に示すように、その選択画像の拡大画像（第２画像）を表示する構成とされている。なお、第２画像は、第１画像と同じ画像ファイルを単に大きく表示してもよいし、別ファイルのものを表示してもよい。
【００１５】
各ページには、「戻る」、「次へ」、「終了」などのナビゲーションボタン（１〜３）も表示されており、「戻る」ボタン１をクリックすれば、直前の画面へ戻り、「次へ」ボタン２をクリックすれば、次の設問のために４つの画像が新たに表示され、「終了」ボタン３をクリックすれば、途中でプログラムを終了可能とされている。
【００１６】
被験者としては、プログラム起動後にディスプレイに表示される画像から興味のある画像をクリックして、任意に閲覧するだけでよい。例えば図１では、第１画像として、タイプの異なる４つの自動車の画像が表示される。ここでは、説明の都合上、左上の画像を「Ａ車」、右上の画像を「Ｂ車」、右下の画像を「Ｃ車」、左下の画像を「Ｄ車」と呼ぶことにする。被験者としては、これらＡ車からＤ車の画像の内、一の画像（例えばＡ車の画像）を、その画像上でクリックすることで、図２に示すように、選択された車（ここではＡ車）の拡大画像を閲覧することができる。
【００１７】
図２の拡大画像表示画面において、「戻る」ボタン１をクリックすれば、図１の画面へ戻されることになり、再び同じ第１画像（Ａ車）又は別の第１画像（Ｂ〜Ｄ車）を選択して、それぞれの選択画像の拡大画像（第２画像）を閲覧可能とされている。また、図１や図２の画面において、「次へ」ボタン２をクリックすれば、他の一覧表示画面へ移行して、上記と同様の操作が可能とされている。そして、所定の一覧表示画面を閲覧した後、「次へ」ボタン３のクリックがあれば、その旨表示してテストは終了する。
【００１８】
ここで、テスト実行中には、どの第１画像がどれだけの時間だけ拡大されて閲覧されたかが情報記憶手段に記録される。つまり、各第１画像に対応した各第２画像の表示時間が記録される。
【００１９】
テスト終了後には、各第１画像（それに対応した各第２画像）の閲覧合計時間に基づき、閲覧時間順の順位が決定される。ここでは、説明の便宜上、図１の４枚の画像（Ａ〜Ｄ車）だけでテストが終了するとして、Ａ車は０秒（つまり拡大選択されなかった）、Ｂ車は７秒、Ｃ車は３秒、Ｄ車は５秒、それぞれ拡大表示されて閲覧されたとする。この場合、閲覧時間の長い順序では、Ｂ車、Ｄ車、Ｃ車、Ａ車となる。つまり、Ｂ車が１（１位）、Ｄ車が２（２位）、Ｃ車が３（３位）、Ａ車が４（４位）となる。
【００２０】
これにより、この被験者の関心度が把握可能となる。その際、テストの画像を多種多様にして、より多くの画像を被験者に見てもらうことで、信頼性をより向上することができる。そして、例えば派手なデザインに関心を示すとか、逆にシンプルなデザイン、或いは既存のデザインに関心を示すなどが把握可能となる。また、後述するように、車、食べ物、スポーツ、アイドルなど、一度に異なる種別の画像を一覧表示してテストすれば、食べ物に興味があって、車には興味を示さないなども把握可能となる。
【００２１】
また、このような調査を複数の被験者に対して行うと、次のようなことも分かる。すなわち、まず複数の被験者にテストを受けてもらい、上述したような複数の時間順位を取得する。そして、同一画像に対する各被験者の時間順位を合算するのである。例えば、ここでは分かり易くするために、図１のテストを３人の被験者（イ〜ハ）に受けてもらった場合を考え、その被験者の時間順位が下記の表１のとおりであったとする。
【００２２】
【表１】
2004240884.tif 000003
【００２３】
この場合、各第１画像ごとの時間順位を合算すると、Ａ車は１１となり、Ｂ車は４となり、Ｃ車は１０となり、Ｄ車は５となる。ここでは、順位が低い程、閲覧時間が長かったことになるので、Ｂ車が最もよく閲覧されたことになる。つまり、総合的な閲覧順序は、Ｂ、Ｄ、Ｃ、Ａの順となる。
【００２４】
このようにして、各第１画像のどれが最も興味を引くかが把握される。従って、このチェックシステムを、製品開発や、流行の動向、消費者意識（マーケティング）などの各種の調査して利用することは有用である。
【００２５】
なお、単なる閲覧時間の合算の場合には、操作が遅い人や、特定の人がある画像を長時間閲覧した場合には、その被験者の動向に影響を受けた結果になるが、時間順位にしてから集計することで、そのような不都合はなくなる。
【００２６】
ところで、このようなチェックシステムのプログラムは、例えば、米国Ｍａｃｒｏｍｅｄｉａ社が開発したディレクター（Ｄｉｒｅｃｔｏｒ）等を用いて作成されるショックウェーブ（Ｓｈｏｃｋｗａｖｅ）（又はフラッシュ（Ｆｌａｓｈ））ファイルにても作成可能である。その際には、被験者端末には、インターネット閲覧ソフトとして、例えば米国Ｍｉｃｒｏｓｏｆｔ社の「Ｉｎｔｅｒｎｅｔ  Ｅｘｐｌｏｒｅｒ」や、米国Ｎｅｔｓｃａｐｅ  Ｃｏｍｍｕｎｉｃａｔｉｏｎｓ社の「Ｎｅｔｓｃａｐｅ  Ｎａｖｉｇａｔｏｒ」などのＷＷＷブラウザが組み込まれると共に、そのＷＷＷブラウザには、ショックウェーブファイル等の再生に必要なプレイヤー（例えばＳｈｏｃｋｗａｖｅ  Ｐｌａｙｅｒ或いはＦｌａｓｈ  Ｐｌａｙｅｒ）がプラグインされていればよい。
【００２７】
この構成の場合、パソコンのハードディスク等には、ＨＴＭＬファイルの他、このＨＴＭＬファイルを介して再生されるショックウェーブファイルなどが記憶されて、本システムを構成する。つまり、ＷＷＷブラウザを介してショックウェーブにて再生するための「．ｓｗｆ」形式のファイルと、そのファイルの再生タグが記載された「．ｈｔｍｌ（．ｈｔｍ）」形式のＨＴＭＬファイルが記憶されている。
【００２８】
この構成の場合、パソコン上で所定のＨＴＭＬファイルをダブルクリックしてあけると、テストが実行可能となる。これにより、例えば図１に示すように、４つの第１画像が表示されると共に、「戻る」ボタンなどのナビゲーションボタンが表示され、それら各画像やボタンには、それぞれ所定のリンクが張られている。従って、画像やボタンをクリックすれば、その拡大画像などを閲覧可能とされる。しかも、その拡大画像を閲覧している時間は、ハードディスクなどに記録される構成とされている。そして、一又は複数の被験者のテストが終了すると、チェック手段により、集計処理が実行可能とされている。
【００２９】
なお、上記実施例では、車のデザインについて例示したが、本発明のシステムは車に限らず、服飾の他、各種製品にも対応可能なことは言うまでもない。また、上記実施例では、デザイン・色などを異ならせた同一・同種の物品から、被験者の関心をひくデザインを知るためのシステムについて述べたが、対象物品は同一・同種物品に限る必要はない。例えば、ぶどう、飛行機、コップ、サッカーボールなどの組合せでテストしてもよい。
【００３０】
また、図１では一度に４つの画像を閲覧可能としたが、この数は適宜に変更可能なことも言うまでもない。なお、一覧表示される第１画像と、それに対応した第２画像とは、リンク等で互いに関連づけられている。また、図１に示すように、複数の第１画像を同時に一覧表示するためには、異なる画像ファイルを複数枚読み出す形式でもよいし、複数枚の画像が一つの画像ファイルとされていてもよい。つまり、見かけ上は複数に分かれていても、一枚の画像である場合もあり、その場合には、領域ごとにリンクを張るなどして対応すればよい。さらに、出現する第１画像は、時系列的に一定であってもよいし、ランダムに出現可能としてもよい。
【００３１】
さらに、上記実施例では、画像について適用した例について説明したが、本発明のチェックシステムは、画像に限らず、文字や音声などにも同様にして対応可能である。文字に適用する一例として、選挙公約の閲覧が考えられる。つまり、前記第１画像に対応するものとして、まずは各候補者の名前や写真などを第１情報として一覧表示する。被験者は、その氏名などをクリックすれば、前記第２画像に対応するものとして、その選択した候補者の公約を閲覧可能とするのである。これにより、各候補者について、有権者の関心度が把握可能となる。一方、音声に適用する例として、複数の音楽・曲の一部（例えばサビ部分）を聞かせて、その他の部分も聞きたいか否かを順次、選択可能とする構成が考えられる。
【００３２】
また、上記実施例では、特定の第１画像を単に拡大して、第２画像として表示する例について説明したが、第１画像と第２画像の関係はこれに限られない。例えば、判然としない画像を判然と認識可能としたり、不鮮明な画像を鮮明としたり、抽象的な画像を具体的としたり、モノクロの画像をカラーとしたり、静的な画像を動的に動かしたり、一部分から他の部分や全体を見せたり、ある画像から関連する画像を見せたりすることなど、各種の変更が考えられる。
【００３３】
また、図３に示すように、第１情報（第１画像）をデザイン変更要素とし、第２情報（第２画像）は、対応する第１情報のデザイン変更要素にて変更後のデザインの画像情報としてもよい。図３の例では、自動車のヘッドライトのデザインの変更が可能とされ、画面左側には変更可能な複数のヘッドライトＸ〜Ｚの画像が表示され、その内の一（ここではＸ）をクリックすると、その選択したヘッドライトの自動車の画像（Ｘ’）が画面右側に表示される形式とされている。この場合も、各ヘッドライトＸ〜Ｚがどの程度の時間選択されたかに基づいて、前記実施例と同様の処理が可能である。なお、形だけでなく、色彩の変更を可能としてもよいし、また第１情報は画像に限らず、文字情報（例えば「丸形」、「赤色」など）であってもよい。
【００３４】
また、前記テスト手段は、被験者の端末画面上に、第１画像を表示し、被験者の操作に基づいて第１画像中から拡大したい部分の指定を受け、その指定された部分に対応した拡大図としての第２画像を表示可能としてもよい。つまり、例えば、図２において拡大したい部分に、マウスのポインタを合わせてクリックすると、その部分を中心とした拡大図を表示するよう構成する（図４）。
【００３５】
なお、全体図としての第１画像中に表示された各部（ドアノブ、タイヤなど）について、その部位情報（部品名など）と、第１画像の座標情報とは予め関連づけられている。従って、マウスでクリックされた指定部分の座標から、どの部位がクリックされたのかが把握可能である。つまり、部位情報が求められる。従って、部位情報ごとの出力回数若しくは時間、又はそれから求められた各部位情報の出力回数若しくは時間順の順位、をテスト結果として情報記憶手段に記憶しておけば、それに基づいて前記各実施例と同様の分析などが可能となる。
なお、この構成は、図１および図２の組合せのシステムに付加することもできる。つまり、図１から図２に移った後、さらにクリックして図４の画面へ移行可能とできる。
【００３６】
すなわち、画像等の選択は、図１と図２のような二段階に限らず、それ以上の他段階（多次元）としてもよい。例えば、図１のような１次元目をモノクロ画像の一覧表示とし、その内の一の画像をクリックすると、カラーの静的拡大画像（２次元目）となり、さらにそれをクリックすると、３次元目として動画が再生される構成とすることができる。この場合も、１次元目のいずれかの画像がクリックされた時点から時間計測を開始し、２次元目以降の閲覧時間を累積することで、上記実施例と同様の処理が可能となる。
【００３７】
また、本発明のチェックシステムは、次のような構成としてもよい。つまり、被験者の端末に一又は複数の画像等からなる第１情報を出力し、その好き嫌いなどを選択してもらい、或いはそのような理由に基づいて並び替えをしてもらうのである。そして、このテストの実行に伴い、被験者の回答結果と、回答に要した全体時間、又は回答に至るまでの各操作に要した時間・時間差、などをテスト結果として情報記憶手段へ記録していく。
【００３８】
そして、そのテスト結果に基づいて、被験者の関心度、適正、意欲等の判定がなされる。そのために例えば、予め多数の被験者にテストを受けてもらい、そのテスト結果とその被験者の関心度、適正、意欲、性格などとの相関関係を求めておくのである。そして、そのようにして予め求めておいた調査結果と関心度等との関係により、情報記憶手段から取得したテスト結果に基づいて、関心度等のチェックが可能とされる。このようにして、例えば処理能力や、仕事手順を調べることができる。
【００３９】
なお、上記各実施例では、主としてスタンドアロンの端末で実現した例について説明したが、インターネットなどの通信ネットワークを介して実現可能である。その場合、被験者は、自己の端末からサーバに接続して、テストを受ければよい。その場合、サーバから被験者の端末へ送信されるＨＴＭＬやスクリプト等の各種ファイルの他、サーバ側のＣＧＩなどで、テストは達成される。被験者のテスト結果は、サーバ側に保存され、テスト終了後に分析され、被験者へ送信するようにしてもよい。なお、このようなシステムを、通常のホームページ上のスクリプト等として埋め込んでおいて、サーバにそのテスト結果を保存可能とし、その結果を利用して分析等を可能とすれば、ホームページの開設者は、閲覧者の関心度等を知ることができる。
【００４０】
さらに、上記では、端末やサーバの情報記憶手段に、テスト及び／又はチェック部分のプログラムファイルを予め保存した状態を述べたが、これらファイルはＣＤ−ＲＯＭやＣＤ−Ｒ、ＭＯなどの各種記録媒体へ保存した状態で流通させることができる。そして、使用時に、例えばパソコンのハードディスクへ保存して実行すればよい。
【００４１】
また、上記実施例では、パソコンに適用した例について説明したが、本発明のチェックシステムは、パソコンに限らず、携帯電話、携帯情報端末などでも実現可能である。さらに、画像の閲覧や選択などだけでなく、文字による設問も行って、心理チェックで補正してもよい。
【００４２】
【発明の効果】
以上詳述したように、本発明の関心度等チェックシステムによれば、画像や音声の調査も可能で、誰に対しても調査が容易で、信頼性の高い診断が可能となる。
【図面の簡単な説明】
【図１】本発明の関心度等チェックシステムの一実施例を示し、一覧表示画面の一例を示す図である。
【図２】図１の画面左上のＡ車をクリックして拡大した状態を示す図である。
【図３】本発明の関心度等チェックシステムの他の実施例を示し、左欄のデザイン構成要素の選択により右欄に変更後のデザインが表示される画面例を示す図である。
【図４】本発明の関心度等チェックシステムの更に他の実施例を示し、図２においてドアノブ部分をクリックして拡大した状態を示す図である。
【符号の説明】
１  「戻る」ボタン
２  「次へ」ボタン
３  「終了」ボタン
Ａ〜Ｄ  画像
Ｘ〜Ｚ  画像
【図１】
2004240884.tif 000004
【図２】
2004240884.tif 000005
【図３】
2004240884.tif 000006
【図４】
2004240884.tif 000007